【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
光学式検知装置であって、
１つ又は複数のメモリと、
該１つ又は複数のメモリに通信結合された１つ又は複数のプロセッサであり、
ある波長範囲において固定角で実行された分光測定をマルチスペクトルセンサから受信し、
前記分光測定に基づき微粒子の微粒子サイズを判定し、
前記分光測定に基づき前記微粒子の同定を判定し、
前記微粒子の前記微粒子サイズ及び前記同定に基づき前記微粒子が煙系微粒子であると判定し、
前記煙系微粒子が警報条件を満たさない第２タイプの煙系微粒子ではなく前記警報条件を満たす第１タイプの煙系微粒子であることに基づき前記警報条件が満たされていると判定し、且つ
前記警報条件が満たされているとの判定に基づき警報をトリガする
よう構成された、１つ又は複数のプロセッサと
を備えた光学式検知装置。
【請求項２】
請求項１に記載の光学式検知装置において、前記１つ又は複数のプロセッサはさらに、
１つ又は複数の他の微粒子の１つ又は複数の他の微粒子サイズを判定し、
前記１つ又は複数の他の微粒子の１つ又は複数の他の同定を判定し、
前記１つ又は複数の他の微粒子の前記１つ又は複数の他の微粒子サイズ及び前記１つ又は複数の他の同定にさらに基づき前記警報条件が満たされていると判定される光学式検知装置。
【請求項３】
請求項１に記載の光学式検知装置において、前記１つ又は複数のプロセッサはさらに、
前記波長範囲のビームを提供させる命令を送信し、
前記１つ又は複数のプロセッサは、前記分光測定の受信時に、
前記命令の送信への応答として前記分光測定を受信する光学式検知装置。
【請求項４】
請求項１に記載の光学式検知装置において、前記１つ又は複数のプロセッサは、前記微粒子の前記同定の判定時に、
分光分類モデルを用いて、前記分光測定に基づき前記微粒子のスペクトルの分類を判定し、且つ
前記微粒子の前記スペクトルの前記分類に基づき前記微粒子の前記同定を判定する光学式検知装置。
【請求項５】
請求項１に記載の光学式検知装置において、前記１つ又は複数のプロセッサは、前記警報条件が満たされているとの判定時に、
前記微粒子が前記煙系微粒子であるとの判定に基づき前記マルチスペクトルセンサ付近で火災が発生していると判定する光学式検知装置。
【請求項６】
請求項５に記載の光学式検知装置において、前記１つ又は複数のプロセッサはさらに、
前記分光測定に基づき、前記マルチスペクトルセンサ付近で前記火災が発生しているとの判定に基づく前記火災の計量化学的シグネチャを判定し、
前記１つ又は複数のプロセッサは、前記警報のトリガ時に、
前記計量化学的シグネチャを同定する情報を提供する光学式検知装置。
【請求項７】
請求項１に記載の光学式検知装置において、前記１つ又は複数のプロセッサは、前記警報のトリガ時に、
前記警報条件を示す可聴又は視覚警報をトリガする光学式検知装置。
【請求項８】
請求項１に記載の光学式検知装置において、前記１つ又は複数のプロセッサは、前記警報のトリガ時に、
緊急応答装置と通信して前記警報条件を指示する光学式検知装置。
【請求項９】
固定角マルチスペクトルセンサ装置であって、
ある波長範囲のビームを送信する光送信器と、
前記ビームの反射を複数のチャネルへ指向させるマルチスペクトルフィルタ又はレンズと、
前記複数のチャネルを介して前記ビームの前記反射を受信し且つ分光測定を実行するセンサ素子アレイを含む光受信器と、
１つ又は複数のプロセッサであり、
前記分光測定に基づき微粒子の微粒子サイズを判定し、
前記微粒子サイズに基づき前記微粒子が煙系微粒子であると判定し、
前記煙系微粒子が警報条件を満たさない第２タイプの煙系微粒子ではなく前記警報条件を満たす第１タイプの煙系微粒子であることに基づき前記警報条件が満たされていると判定し、且つ
前記警報条件が満たされているとの判定に基づき応答動作をトリガする
１つ又は複数のプロセッサと
を備えた固定角マルチスペクトルセンサ装置。
【請求項１０】
請求項９に記載の固定角マルチスペクトルセンサ装置において、前記波長範囲は１９０ナノメートル（ｎｍ）〜１１００ｎｍである固定角マルチスペクトルセンサ装置。
【請求項１１】
請求項９に記載の固定角マルチスペクトルセンサ装置において、前記光送信器は、前記波長範囲の第１部分を有する前記ビームの第１部分を送信する第１発光体と、前記波長範囲の第２部分を有する前記ビームの第２部分を送信する第２発光体とを含む固定角マルチスペクトルセンサ装置。
【請求項１２】
請求項９に記載の固定角マルチスペクトルセンサ装置において、前記センサ素子アレイは、前記波長範囲の第１部分を有する前記ビームの前記反射の第１部分を受信する１つ又は複数の第１センサ素子と、前記波長範囲の第２部分を有する前記ビームの前記反射の第２部分を受信する１つ又は複数の第２センサ素子とを含む固定角マルチスペクトルセンサ装置。
【請求項１３】
請求項９に記載の固定角マルチスペクトルセンサ装置において、前記光送信器は、媒体を通して該媒体中の微粒子に向けて前記ビームを送信するよう構成され、
前記媒体は気体状媒体又は液状媒体である固定角マルチスペクトルセンサ装置。
【請求項１４】
請求項９に記載の固定角マルチスペクトルセンサ装置において、
開口を有するハウジングと、
該ハウジング外の第１環境から該ハウジング内の第２環境へ前記開口を介して流体を引き込む微粒子流入装置と
をさらに備え、前記ハウジング内の前記第２環境内で、前記光送信器は前記ビームを送信するよう構成され、前記光受信器は前記ビームの前記反射を受信するよう構成される固定角マルチスペクトルセンサ装置。
【請求項１５】
請求項９に記載の固定角マルチスペクトルセンサ装置において、前記光受信器の感度が、閾値未満の濃度を有する微粒子に対するものである固定角マルチスペクトルセンサ装置。
【請求項１６】
光学式検知装置により、マルチスペクトルセンサからある波長範囲において固定角で実行された分光測定を受信するステップと、
前記光学式検知装置により且つ前記分光測定に基づき、微粒子の微粒子サイズを判定するステップと、
前記光学式検知装置により且つ前記分光測定に基づき、前記微粒子の同定を判定するステップと、
前記光学式検知装置により且つ前記微粒子の前記微粒子サイズ及び前記同定に基づき、前記微粒子が煙系微粒子であると判定するステップと、
前記光学式検知装置により前記煙系微粒子が警報条件を満たさない第２タイプの煙系微粒子ではなく前記警報条件を満たす第１タイプの煙系微粒子であることに基づき前記警報条件が満たされていると判定するステップと、
前記光学式検知装置により、前記警報条件を示す警報動作を実行するステップと
を含む方法。
【請求項１７】
請求項１６に記載の方法において、前記警報動作を実行するステップは、火災に関する警報を提供するステップを含む方法。
【請求項１８】
請求項１６に記載の方法において、
前記波長範囲のビームを提供させる命令を送信するステップをさらに含み、
前記分光測定を受信するステップは、前記命令の送信への応答として前記分光測定を受信するステップを含む方法。
【請求項１９】
請求項１６に記載の方法において、
前記微粒子の前記同定を判定するステップは、
分光分類モデルを用いて、前記分光測定に基づき前記微粒子のスペクトルの分類を判定するステップと、
前記微粒子の前記スペクトルの前記分類に基づき前記微粒子の前記同定を判定するステップと
を含む方法。
【請求項２０】
請求項１６に記載の方法において、
前記警報条件が満たされると判定するステップは、
前記微粒子が前記煙系微粒子であるとの判定に基づき、前記マルチスペクトルセンサ付近で前記火災が発生していると判定するステップを含む方法。